(57)【特許請求の範囲】
【請求項１】
複数のアンサンブルが伝送可能であり、複数個のサービスが、１個のアンサンブルにまとめられて、直交周波数分割多重変調方式で伝送されるディジタル放送を受信するディジタル放送用受信機において、
アンサンブルの選択用に操作されるアンサンブル選択用操作部、及び操作時は前記アンサンブル選択用操作部において選択されたアンサンブルに属するサービスのみを対象としてサービスを順次切替えるために操作される全アンサンブルに共通のサービス選択用操作部を有しており、
前記アンサンブル選択用操作部は複数のプリセットキーによって構成され、各プリセットキーにプリセットされる１つのアンサンブルが前記プリセットにより対応づけられたプリセットキーの押下により選択できるようになっており、前記サービス選択用操作部はアップ／ダウンキーによって構成されていることを特徴とするディジタル放送用受信機。
【請求項２】
前記サービス選択用操作部は、全アンサンブルに共通に設けられていることを特徴とする請求項１記載のディジタル放送用受信機。
【請求項３】
前記サービス選択用操作部を使用できるように、各サービスの出力に必要なデータを記憶する、サービスの自動プリセット手段を有することを特徴とする請求項１記載のディジタル放送用受信機。
【請求項４】
前記アンサンブル選択用操作部は、１個のアンサンブルを割り当てられてその割り当てられたアンサンブルを選択する際に操作されるプリセットキーであることを特徴とする請求項１〜３のいずれかに記載のディジタル放送用受信機。
【発明の詳細な説明】
【０００１】
【発明の属する技術分野】
この発明は、例えばＤＡＢ（Ｄｉｇｉｔａｌ  Ａｕｄｉｏ  Ｂｒｏａｄｃａｓｔｉｎｇ：ディジタルオーディオ放送）等のディジタル放送を受信するディジタル放送用受信機に係り、詳しくはサービスのプリセット機能を装備するディジタル放送用受信機に関するものである。
【０００２】
【従来の技術】
ＦＭ放送の多局化に伴う混信に因る音質劣化や、移動体での良質な受信が難しいことに対処し得るラジオ放送形式としてＤＡＢが注目されている。ＤＡＢは、ユーレカ（ＥＵＲＥＫＡ：欧州先端技術開発計画）で開発が進められ、すでに、仕様が定められており、変調方式としてπ／４シフトＤＱＰＳＫ−ＯＦＤＭ（Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ−Ｏｒｔｈｏｇｏｎａｌ  Ｆｒｅｑｕｅｎｃｙ  Ｄｉｖｉｓｉｏｎ  Ｍｕｌｔｉｐｌｅｘ：直交周波数分割多重）を採用して、フェージングやマルチパスの影響を受け難いという特徴を備えるとともに、音声符号化には高能率音声符号化のＭＰＥＧレイヤーIIを用い、１．５ＭＨｚの伝送帯域幅で多数のステレオ放送とデータ放送を可能にしている。
【０００３】
ＤＡＢでは、複数個のサービスが、１個のアンサンブルにまとめられて、直交周波数分割多重変調方式で伝送される。そして、ＤＡＢ用カーラジオ等は、サービスのプリセット機能を備え、ユーザは、プリセットキー又はサービスアップ／ダウンキーを押して、スピーカより出力するサービス（詳しくは、サービスに複数含まれるサービス成分の内、プライマリとして唯一存在するオーディオのサービス成分）を切替えている。従来のプリセット機能によるサービスの切替は、任意のアンサンブルの任意のサービス間で自由に、すなわち異なるアンサンブル間のサービスへ自由な切替が行なえるようになっている。
【０００４】
【発明が解決しようとする課題】
同一地域では、複数のアンサンブルが受信可能であり、また、１個のアンサンブルは６〜１０個のサービスが含まれているので、全アンサンブルの合計のサービスの個数は、２０位に達し、全サービスにプリセットキーを割り当てるには、全体のプリセットキーの個数が過大になり、ＤＡＢ用カーラジオおけるプリセットキーの配置スペースに支障が生じる。サービスアップ／ダウンキーの場合には、プリセットするサービスの増大にもかかわらず、サービスアップ／ダウンキーの個数の増大はないが、アンサンブルの切替にはその処理に所定の時間がかかるので、スピーカからの出力が途絶え、ユーザに不快感を与える。
【０００５】
この発明の目的は、上述の問題点を克服できるディジタル放送用受信機を提供することである。
【０００６】
【課題を解決するための手段】
この発明のディジタル放送用受信機(10)は、複数個のサービスが、１個のアンサンブルにまとめられて、直交周波数分割多重変調方式で伝送されるディジタル放送を受信する。このディジタル放送用受信機(10)は、アンサンブルの選択用に操作されるアンサンブル選択用操作部(40)、及び操作時はアンサンブル選択用操作部(40)において選択されたアンサンブルに属するサービスの中だけでサービスを切替えてユーザに選択させるサービス選択用操作部(41,42)を有している。
【０００７】
サービス選択用操作部(41,42)の操作では、アンサンブル選択用操作部(40)において選択されたアンサンブルに属するサービス内のサービスに限定されて、サービスが切替え、選択されるようになっているので、サービスの切替の際も、スピーカ等からの出力が途絶えることなく、また、迅速な切替が可能になる。
【０００８】
この発明のディジタル放送用受信機(10)によれば、サービス選択用操作部(41,42)は、全アンサンブルに共通に設けられている。
【０００９】
こうして、共通のサービス選択用操作部(41,42)により、全アンサンブルのサービスについて選択が可能となるとともに、ディジタル放送用受信機(10)全体におけるサービス選択用操作部(41,42)の配置スペースを低減できる。
【００１０】
この発明のディジタル放送用受信機(10)によれば、サービス選択用操作部(41,42)は、アンサンブル選択用操作部(40)において選択されたアンサンブルに属するサービスの中だけでサービスを切替えてユーザに選択させる第１のモードの他に、任意のアンサンブルのサービスへ切替えてユーザに選択させる第２のモードを有している。
【００１１】
第１のモードと第２のモードとの切替により、ユーザはサービスの迅速な切替と、任意のアンサンブル間の希望サービスの自由な切替とを選択可能になる。
【００１２】
この発明のディジタル放送用受信機(10)によれば、サービスの自動プリセットでは、サービス選択用操作部(41,42)が第１のモードで使用可能に、各サービスの出力に必要なデータを記憶する。
【００１３】
このの発明のディジタル放送用受信機(10)によれば、アンサンブル選択用操作部(40)は、１個のアンサンブルを割り当てられてその割り当てられたアンサンブルを選択する際に操作されるプリセットキー(40)である。
【００１４】
受信できるアンサンブルの個数は僅かであるので、プリセットキー(40)の個数は僅かで済む。
【００１５】
この発明のディジタル放送用受信機(10)によれば、アンサンブル選択用操作部は、アンサンブルを第１のサイクリック方向へサイクリックに順次切替えてユーザに選択させる第１のアンサンブル用サイクリックキーと、アンサンブルを第１のアンサンブル用サイクリックキーとは反対のサイクリック方向へサイクリックに切替えてユーザに選択させる第２のアンサンブル用サイクリックキーとを備えている。
【００１６】
第１及び第２のサイクリック方向とは例えば上位方向及び下位方向である。アンサンブルについて、上位か下位かは、例えばプリセットした順番に最初のものから上位とすることもできるし、ユーザに順位を適宜入れ替えさせて設定することもできる（後述のサービスについての上位及び下位も同様である。）。サイクリックとは、例えば、上位方向では、最上位に到達したら、次は、最下位に戻り、下位方向では、最下位に達したら、次に最上位に戻ることである。
【００１７】
こうして、受信できるアンサンブルの個数が増大しても、全アンサンブル選択用操作部の切替を第１及び第２のアンサンブル用サイクリックキーの２個により済ませることができ、アンサンブル選択用操作部の必要スペースを縮小できる。
【００１８】
この発明のディジタル放送用受信機(10)によれば、サービス選択用操作部(41,42)は、サービスを上位方向へ順次切替えてユーザに選択させる上位方向サービス選択用順次切替キー(42)と、サービスを下位方向へ順次切替えてユーザに選択させる下位方向サービス選択用順次切替キー(42)とを備えている。
【００１９】
上位方向サービス選択用順次切替キー(42)及び下位方向サービス選択用順次切替キー(42)は、必ずしもサイクリックキーに限定されない。１個のアンサンブル内のサービスの個数が増大しても、サービスの切替を上位方向サービス選択用順次切替キー(42)及び下位方向サービス選択用順次切替キー(42)の２個により済ませることができ、サービス選択用操作部(41,42)の必要スペースを縮小できる。
【００２０】
【発明の実施の形態】
以下、この発明の実施の形態について図面を参照して説明する。
図１はＤＡＢ用カーラジオ10のシステム構成図である。ＤＡＢ用カーラジオ10は、本体12、及び本体12とは別体のＤＡＢコントロールマイコン26等を装備する。本体12において、ＤＡＢシステムマイコン14は、メモリ16を有し、複数のアンサンブル（各アンサンブルはＤＱＰＳＫ−ＯＦＤＭで変調されているラジオ放送電波で伝送され、１個のアンサンブルは、帯域幅は約１．５ＭＨｚであり、通常６〜１０個のサービスが含まれている。）の中から１個のアンサンブルを指定して、指定アンサンブルの周波数データをＲＦブロック18へ送る。ＲＦブロック18は、ＤＡＢシステムマイコン14から指定のあったアンサンブルのＲＦ（Ｒａｄｉｏ  Ｆｒｅｑｕｅｎｃｙ）信号を抽出し、復調ブロック20へ送る。復調ブロック20では、ＲＦブロック18からのＲＦ信号をＤＡＢデータとして復調し、チャネル復号ブロック22は、ＤＡＢシステムマイコン14からのチャネル情報に基づいて復調ブロック20からの対応チャネルに係る復調信号を復号する。こうして、ＤＡＢシステムマイコン14からＲＦブロック18へ指定されたアンサンブルの内の必要チャネルのデータがチャネル復号ブロック22において復号される。チャネル復号ブロック22において復号されたディジタル信号の内、オーディオデータはチャネル復号ブロック22からオーディオ復号ブロック24へ送られ、オーディオデータ以外のプログラムタイプ等のＦＩＧデータ（ＦＩＧについては後述）はチャネル復号ブロック22からＤＡＢシステムマイコン14へ送られる。オーディオ復号ブロック24は、チャネル復号ブロック22から入力されるオーディオデータの内、ＤＡＢシステムマイコン14から指示されるサブチャネルのオーディオデータを復号化し、左右のスピーカ（図示せず）へ流す。ＤＡＢコントロールマイコン26は、メモリ28を備え、本体12のＤＡＢシステムマイコン14とデータのやり取りを行う。ＤＡＢコントロールマイコン26は、ユーザからの指示はキー30を介して入力されるとともに、表示器32へデータサービス等のデータを出力して、情報を表示させ、ユーザへ知らせるようになっている。
【００２１】
以下、図２〜図６において、伝送フレーム等、ＤＡＢの各種要素の通信プロトコルを適宜、説明しているが、詳細は、ヨーロッパテレコミュニケーション標準協会（Ｅｕｒｏｐｅａｎ  Ｔｅｌｅｃｏｍｍｕｉｎｉｃａｔｉｏｎｓ  Ｓｔａｎｄａｒｄｓ  Ｉｎｓｔｉｕｔｅ）発行のヨーロッパテレコミュニケーション標準（Ｅｕｒｏｐｅａｎ  Ｔｅｌｅｃｏｍｍｕｉｎｉｃａｔｉｏｎｓ  Ｓｔａｎｄａｒｄ）を参照されたい。
【００２２】
図２はＤＡＢの送信フレームの構造を示す。送信フレーム（Ｔｒａｎｓｎｉｓｓｉｏｎ  ｆｒａｍｅ）は前から順番に同期チャネル、ＦＩＣ（Ｆａｓｔ  Ｉｎｆｏｒｍａｔｉｏｎ  Ｃｈａｎｎｅｌ）、及びＭＳＣ（Ｍａｉｎ  Ｓｅｒｖｉｃｅ  Ｃｈａｎｎｅｌ）を有している。ＦＩＣはさらに複数個のＦＩＢ（ＦａｓｔＩｎｆｏｒｍａｔｉｏｎ  Ｂｌｏｃｋ）から成り、ＭＳＣはさらに複数個のＣＩＦ（Ｃｏｍｍｏｎ  Ｉｎｔｅｒｌｅａｖｅｄ  Ｆｒａｍｅ）から成る。ＤＡＢは、モード１からモード４まで、仕様を決められており、モードごとに、送信フレームの時間（ｄｕｒａｔｉｏｎ）及び１送信フレーム内のＦＩＢ及びＣＩＦの個数が異なっている。例えばモード１では、１送信フレームの時間は９６ｍｓ、１送信フレーム内のＦＩＢ及びＣＩＦの個数はそれぞれ１２個及び４個である。
【００２３】
図３はＤＡＢのサービス構造の例示図である。アンサンブルラベル（アンサンブル名）がＤＡＢアンサンブル１（ＤＡＢ  ＥＮＳＥＭＢＬＥ  ＯＮＥ）であるアンサンブル（Ｅｎｓｅｍｂｌｅ）は、サービスラベルがアルファ１ラジオ（ＡＬＰＨＡ１  ＲＡＤＩＯ）、ベータラジオ（ＢＥＴＡ  ＲＡＤＩＯ）、アルファ２ラジオ（ＡＬＰＨＡ２  ＲＡＤＩＯ）等の複数のサービス（Ｓｅｒｖｉｃｅ）を含んでいる。ユーザは、選択されたサービスをＤＡＢ用カーラジオ10から聞くことになる。
【００２４】
アルファ１ラジオは、プライマリ（ｐｒｉｍａｒｙ）のサービス成分（Ｓｅｒｖｉｃｅ  ｃｏｍｐｏｎｅｎｔｓ）を１個、セカンダリ（ｓｅｃｏｎｄａｒｙ）のサービス成分を２個、それぞれ有している。プライマリのサービス成分はオーディオ（Ａｕｄｉｏ）であり、セカンダリのサービス成分は交通メッセージチャネル：ＴＭＣ（Ｔｒａｆｆｉｃ  Ｍｅｓｓａｇｅ  Ｃｈａｎｅｌ）とサービス情報：ＳＩ（Ｓｅｒｖｉｃｅ  Ｉｎｆｏｒｍａｔｉｏｎ）である。オーディオ成分とＳＩはＭＳＣ内の別々のサブチャネル（ＳｕｂＣｈ）で伝送され、ＴＭＣはＦＩＣ内のＦＩＤＣ（Ｆａｓｔ  Ｉｎｆｏｒｍａｔｉｏｎ  Ｄａｔａ  Ｃｈａｎｎｅｌ）で伝送される。
【００２５】
ベータラジオはサービス成分を２個もつ。オーディオと二次オーディオ（ｓｅｃｏｎｄａｒｙ  ａｕｄｉｏ  ｃｏｍｐｏｎｅｎｔ）であり、どちらもＭＳＣのサブチャネルに載せられる。
【００２６】
アルファ２ラジオは、アルファ１ラジオと同一のＴＭＣ及びＳＩをもち、スイッチの切替によってはオーディオもアルファ１ラジオと同じになることがある。
【００２７】
図４はＦＩＢの構造図である。ＦＩＢは、全体で２５６ビットから成り、前部の３０バイトのＦＩＢデータ領域（ＦＩＢ  ｄａｔａ  ｆｉｅｌｄ）と後部の１６ビットのＣＲＣ（Ｃｙｃｌｉｃ  Ｒｅｄｕｎｄａｎｃｙ  Ｃｈｅｃｋ  ｗｏｒｄ）から成る。ＦＩＢデータ領域は、さらに、前から順に複数個のＦＩＧ（Ｆａｓｔ  Ｉｎｆｏｒｍａｔｉｏｎ  Ｇｒｏｕｐ）、１個のエンドマーカ（Ｅｎｄ  ｍａｒｋｅｒ）、及び１個のパッディング（ＦＩＢデータ領域をバイトに合わせるために残ったビットに０を入れること。）から成る。ＦＩＧの部分は有用データ領域（ｕｓｅｆｕｌ  ｄａｔａ  ｆｉｅｌｄ）を構成する。各ＦＩＧは、前から順番にＦＩＧタイプ、Ｌｅｎｇｔｈ（長さ：後続のＦＩＧデータ領域のビット長さを表わす。）、ＦＩＧデータ領域（ＦＩＧ  ｄａｔａ  ｆｉｅｌｄ）を備える。ＦＩＧタイプとＬｅｎｇｔｈはＦＩＧヘッダを構成する。
【００２８】
図５は図４のＦＩＧタイプが０（３ビット２進表示では０００）のＦＩＧデータ領域の構造図である。ＦＩＧデータ領域は、さらに、前から順番にＣ／Ｎ（Ｃｕｒｒｅｎｔ／Ｎｅｘｔ)、ＯＥ（Ｏｔｈｅｒ  Ｅｎｓｅｍｂｌｅ)、Ｐ／Ｄ（Ｐｒｏｇｒａｍｍｅ／Ｄａｔａ)、Ｅｘｔｅｎｓｉｏｎ、タイプ０領域（Ｔｙｐｅ０  ｆｉｅｌｄ)を備える。Ｅｘｔｎｓｉｏｎが１〜４及び７である場合、Ｃ／Ｎ＝０のときは今回の多重構造のものである意味し、また、Ｃ／Ｎ＝１のときは次回の多重構造のものであることを意味する。また、Ｃ／Ｎ＝１のときはタイプ０領域が次の配列に係るものであることを意味する。Ｅｘｔｎｓｉｏｎが６，９，１１，１８，２１，２２，２３，２４、２５，２７，３０である場合、Ｃ／Ｎはタイプ０領域のバージョン番号を示す。ＯＥはＥｘｔｅｎｓｉｏｎ＝１２、１６，１７，２１，２４，３０のとき、用いられ、ＯＥ＝０はこのタイプ０領域の情報がこのアンサンブルに係るものであることを意味し、ＯＥ＝１は他のアンサンブルに係るものであることを意味する。Ｐ／Ｄ＝１は、タイプ０領域のＳＩｄが、プログラムサービスに使用される１６ビットＳＩｄであることを意味し、Ｐ／Ｄ＝０は、タイプ０領域のＳＩｄが、データサービスに使用される３２ビットＳＩｄであることを意味する。このＰ／ＤはＥｘｔｎｓｉｏｎが２，９，２３，２４のとき使用され、使用されないときはＳＩｄは１６ビットフォーマットになる。
【００２９】
図６はＦＩＧ０／２の構造図である。なお、各ＦＩＧをＦＩＧタイプとＥｘｔｅｎｓｉｏｎとでＦＩＧ０／２のように表わすことにする。タイプ０領域は複数個のサービス（ｖ・・・ｋ・・・ｔ）の領域を有している。各サービスの領域には、サービスＩＤ（ＳＩｄ）と共に、サービス成分記述（Ｓｅｒｖｉｃｅ  ｃｏｍｐ．  ｄｅｓｃｒｉｐｔｉｏｎ）が書き込まれている。そして、サービス成分記述において、ＴＭＩｄ＝００（ＭＳＣストリームオーディオ（ＭＳＣ  ｓｔｒｅａｍ  ａｕｄｉｏ））のとき、そのオーディオサービスを搬送しているＭＳＣ（図３）のＳｕｂＣｈＩｄが記述され、そのサブチャネルを復号することにより、そのオーディオサービスをスピーカ等へ出力できる。
【００３０】
図７はＤＡＢ用カーラジオ10の前面パネル部の主要部を示す図である。ＤＡＢ用カーラジオ10の前面パネル部には、アンサンブル用プリセットキー40が複数個、サービス切替用アップキー41及びサービス切替用ダウンキー42が各１個ずつ設けられている。各アンサンブル用プリセットキー40には、１個のアンサンブルがプリセットできるようになっており、所定のアンサンブル用プリセットキー40を押すことにより、そのアンサンブル用プリセットキー40にプリセットされているアンサンブルが選択されるようになっている。サービス切替用アップキー41及びサービス切替用ダウンキー42は、第１のモードでは、ユーザによる押し操作ごとに、アンサンブル用プリセットキー40において選択されたアンサンブルに属するサービスでかつユーザにより予めプリセットされたサービスについて、サービスをサイクリックに順次、それぞれアップ及びダウンするようになっている。サービスのプリセットは、ユーザによる手動設定だけでなく、自動プリセット機能も用意される。自動プリセット機能によるプリセット時も、同一のアンサンブルに属するサービスが、サービス切替用アップキー41及びサービス切替用ダウンキー42により切替え、選択されるように、プリセットされる。アップ及びダウンとは、それぞれ上位及び下位のサービスへ移行することを意味し、サイクリックとは、サービスのアップ及びダウン時に、それぞれ最上位及び最下位のサービスに到達したときは、次に、それぞれ最下位及び最上位へ戻ることを意味する。サービスの上位及び下位は、先にプリセットされたものから上位に割当ててもよいし、一旦プリセット後に、ユーザが手動で変更することもできる。サービス切替用アップキー41及びサービス切替用ダウンキー42は、第２のモードでは、同一のアンサンブルに限定されず任意のアンサンブルのサービス間を順番にサイクリックにアップ及びダウンするようになっている。
【００３１】
図８はユーザが指定するサービスをプリセットする処理のフローチャートである。Ｓ４６では、ユーザよりプリセットの要求があるか否かを判断し、判定がＹＥＳであれば、Ｓ４７へ進み、ＮＯであれば、該ルーチンを終了する。Ｓ４７では、ユーザが要求しているプリセットがアンサンブル単位かサービス単位かを判定し、アンサンブル単位（前述の第１のモードに対応する。）であれば、Ｓ４８へ進み、サービス単位（前述の第２のモードに対応する。）であれば、Ｓ５０へ進む。Ｓ４８では、ユーザがプリセットしようとするサービスが属するアンサンブルについてのアンサンブル情報を記憶する。アンサンブル情報は、アンサンブルの周波数、アンサンブルのＩＤ、及びアンサンブルのラベル（＝アンサンブルの名称）を含む。Ｓ４９では、ユーザがプリセットしようとするサービスについてのサービス情報を記憶する。サービス情報は、サービスのＩＤ、サービスのラベル（＝サービスの名称）、及びサブチャンネルのＩＤを含む。Ｓ５０では、アンサンブル周波数と共にＳ４３と同じサービス情報を記憶する。Ｓ５１では、今回のプリセットが確かに記憶されたことを表示器32に表示する。こうして、ユーザは、第１のモードでは、アンサンブル用プリセットキー40、サービス切替用アップキー41及びサービス切替用ダウンキー42を操作して、同一アンサンブル内のサービスの切替え、選択することができ、また、第２のモードでは、サービス切替用アップキー41及びサービス切替用ダウンキー42を操作して、任意のアンサンブル間のサービスの切替え、選択することができる。
【００３２】
なお、発明の実施の形態の場合では、サービスの切替によりプライマリのサービス成分としてのオーディオサービス成分がスピーカより出力される。第１のモードでは、セカンダリのオーディオサービス成分を含めて、同一のアンサンブル内のサービス成分の切替を行なえるようにしてもよい。
【図面の簡単な説明】
【図１】ＤＡＢ用カーラジオのシステム構成図である。
【図２】ＤＡＢの送信フレームの構造を示す図である。
【図３】ＤＡＢのサービス構造の例示図である。
【図４】ＦＩＢの構造図である。
【図５】図４のＦＩＧタイプが０のＦＩＧデータ領域の構造図である。
【図６】ＦＩＧ０／２の構造図である。
【図７】ＤＡＢ用カーラジオの前面パネル部の主要部を示す図である。
【図８】ユーザが指定するサービスをプリセットする処理のフローチャートである。
【符号の説明】
１０    ＤＡＢ用カーラジオ（ディジタル放送用受信機）
４０    アンサンブル用プリセットキー（アンサンブル選択用操作部、プリセットキー）
４１    サービス切替用アップキー（上位方向サービス選択用順次切替キー）
４２    サービス切替用ダウンキー（下位方向サービス選択用順次切替キー）
【図１】
0003830067.tif 000002
【図２】
0003830067.tif 000003
【図３】
0003830067.tif 000004
【図４】
0003830067.tif 000005
【図５】
0003830067.tif 000006
【図６】
0003830067.tif 000007
【図７】
0003830067.tif 000008
【図８】
0003830067.tif 000009